(57)【特許請求の範囲】
【請求項１】
充電式電池から電源供給され動作するシステム制御部および非接触ＩＣカード部を備えた携帯電話機であって、
前記充電式電池に接続され、前記充電式電池から前記システム制御部に供給される電圧値が、前記システム制御部が動作不可となるシステム動作閾値未満の状態において、前記充電式電池から前記非接触ＩＣカード部に供給される電圧値が、前記非接触ＩＣカード部が動作不可となるＩＣ動作閾値以上かを検知するＩＣ動作検知部と、
前記ＩＣ動作検知部によって前記電圧値が前記ＩＣ動作閾値以上であると検知された場合、前記非接触ＩＣカード部が動作可能状態であることを通知するＩＣ動作通知部と、
前記ＩＣ動作通知部に前記通知を行わせる指示を受け付ける受付部と、
を備え、
前記ＩＣ動作検知部は、前記電圧値が前記ＩＣ動作閾値以上であると検知したとき、ＩＣ動作電圧検出信号を出力し、
前記ＩＣ動作通知部は、
点灯により、前記非接触ＩＣカード部が動作可能状態であることを通知する表示器と、
前記表示器と前記充電式電池の間に介在し、前記ＩＣ動作検知部から前記ＩＣ動作電圧検出信号が入力され、かつ、前記受付部が前記指示を受け付けたとき、前記システム制御部の動作状態に依存せずに、前記充電式電池から前記表示器に電源を供給する電源制御部と、を含み、
前記電源制御部に前記ＩＣ動作電圧検出信号が入力されている状態で、かつ、前記受付部が前記指示を受け付けたとき、前記電源制御部が前記充電式電池から前記表示器に電源を供給し、前記表示器が点灯して、前記非接触ＩＣカード部が動作可能状態であることを通知することを特徴とする携帯電話機。
【請求項２】
請求項１に記載の携帯電話機において、
前記受付部は、ユーザが押下操作するスイッチからなり、
前記表示器は、前記スイッチに接続されるカソード、および前記電源制御部に接続されるアノードを有するＬＥＤ表示器からなり、
前記電源制御部を介して前記充電式電池から前記ＬＥＤ表示器の前記アノードに電源供給されている状態で、前記スイッチが押下されたとき、前記ＬＥＤ表示器の前記カソードがグランド接地され、前記ＬＥＤ表示器が点灯し、前記充電式電池から前記ＬＥＤ表示器の前記アノードに電源供給されない状態において、前記スイッチの押下に関わらず前記ＬＥＤ表示器が消灯状態を維持することを特徴とする携帯電話機。
【請求項３】
請求項１または２に記載の携帯電話機において、
前記システム制御部に供給される前記電圧値が、前記システム動作閾値以上かを検知するシステム動作検知部と、
前記システム動作検知部によって前記電圧値が前記システム動作閾値以上であると検知された場合、前記システム制御部が動作可能状態であることを通知するシステム動作通知部と、
をさらに備え、
前記受付部が受け付ける前記指示は、前記システム動作通知部に前記通知を行わせる指示をさらに含み、
前記システム動作検知部は、前記電圧値が前記システム動作閾値以上であると検知したとき、システム動作電圧検出信号を出力し、
前記システム動作通知部は、点灯により、前記システム制御部が動作可能状態であることを通知する第２の表示器をさらに含み、
さらに、
前記電源制御部は、
前記表示器および前記第２の表示器と前記充電式電池との間に介在し、前記システム動作電圧検出信号が入力され、かつ、前記受付部が前記指示を受け付けたとき、前記システム制御部の動作状態に依存せずに、前記充電式電池から前記第２の表示器に電源を供給し、
前記電源制御部に前記システム動作電圧検出信号が入力されている状態で、かつ、前記受付部が前記指示を受け付けたとき、前記電源制御部が前記充電式電池から前記第２の表示器に電源を供給し、前記第２の表示器が点灯して、前記システム制御部が動作可能状態であることを通知することを特徴とする携帯電話機。
【請求項４】
請求項３に記載の携帯電話機において、
前記受付部は、ユーザが押下操作するスイッチからなり、
前記第２の表示器は、前記スイッチに接続されるカソード、および前記電源制御部に接続されるアノードを有する第２のＬＥＤ表示器からなり、
前記電源制御部を介して前記充電式電池から前記第２のＬＥＤ表示器の前記アノードに電源供給されている状態で、前記スイッチが押下されたとき、前記第２のＬＥＤ表示器の前記カソードがグランド接地され、前記第２のＬＥＤ表示器が点灯し、前記充電式電池から前記第２のＬＥＤ表示器の前記アノードに電源供給されない状態において、前記スイッチの押下に関わらず前記第２のＬＥＤ表示器が消灯状態を維持することを特徴とする携帯電話機。
【発明の詳細な説明】
【技術分野】
【０００１】
本発明は、携帯電話機に関し、特に、非接触ＩＣカードモジュールを搭載した携帯電話機に関する。
【背景技術】
【０００２】
近年、非接触ＩＣカードモジュールを備え、非接触通信機能を有する携帯電話機が市場に多く出回るようになってきている。非接触ＩＣカードモジュールは、電源供給以外、特に制御の必要なく非接触通信が可能なモジュールである場合が多く、また、その動作電圧範囲は携帯電話のシステム動作電圧より低電圧で動作可能になっている。
【０００３】
従来の携帯電話機に搭載される非接触ＩＣカードとしては、例えば特許文献１に記載されたものがある。同文献に記載された非接触ＩＣカードは、携帯電話機から供給される電圧を検出する電圧検出手段と、電圧検出手段で検出した電圧が所定値以上になったとき、携帯電話機との間のリーク電流路を遮断する電流遮断回路と、を備え、電流遮断回路が動作したとき、非接触部通信用アンテナの電磁誘導により電源供給を受けることにより、非接触通信を維持するものである。
【特許文献１】特開２００２−２７９３７８号公報
【発明の開示】
【発明が解決しようとする課題】
【０００４】
しかしながら、上記文献記載の従来技術は、携帯電話機からの電源供給がなくなった場合、非接触通信を維持するために、電磁誘導により電源供給を受ける構成となっているが、様々な機能を有する携帯電話機にあっては、電磁誘導により電源供給を受けることにより、システム上好ましくない影響が及ぶ危険性があり、外部との電磁誘導による電源供給は受けずに、自機内で電源供給される構成が望まれる。
【０００５】
また、携帯電話機の電池から電源供給されて動作する非接触ＩＣカードモジュールにおいては、非接触通信に失敗した場合に、その要因が故障によるものか単に電池残容量不足によるものかをその場で判断できることが望まれる。従来の携帯電話機においては、携帯電話のシステム動作不可状態において、非接触ＩＣカードモジュールにおける非接触通信の可否状態、すなわち、非接触ＩＣカードモジュールへの電源供給状態を通知する手段はなかった。
【０００６】
また、従来の携帯電話機において、ＬＥＤ表示器を用いて、充電式電池の残容量を通話ボタンなどの操作キーの操作時に点灯、点滅させることにより通知するものがある。しかしながら、これは携帯電話機のシステムが正常に動作していることが前提であり、通話可能な電源供給がなされているか否かを示すものであり、システム動作が停止する低電圧状態において、電池残容量は通知されない。
【０００７】
本発明は上記事情に鑑みてなされたものであり、その目的とするところは、自機の充電式電池により供給される電源により動作可能な非接触ＩＣカードへの電源供給状態を必要に応じて確認可能な携帯電話機を提供することにある。
【課題を解決するための手段】
【０００８】
本発明によれば、充電式電池から電源供給され動作するシステム制御部および非接触ＩＣカード部を備えた携帯電話機であって、
前記充電式電池に接続され、前記充電式電池から前記システム制御部に供給される電圧値が、前記システム制御部が動作不可となるシステム動作閾値未満の状態において、前記充電式電池から前記非接触ＩＣカード部に供給される電圧値が、前記非接触ＩＣカード部が動作不可となるＩＣ動作閾値以上かを検知するＩＣ動作検知部と、
前記ＩＣ動作検知部によって前記電圧値が前記ＩＣ動作閾値以上であると検知された場合、前記非接触ＩＣカード部が動作可能状態であることを通知するＩＣ動作通知部と、
前記ＩＣ動作通知部に前記通知を行わせる指示を受け付ける受付部と、
を備え、
前記ＩＣ動作検知部は、前記電圧値が前記ＩＣ動作閾値以上であると検知したとき、ＩＣ動作電圧検出信号を出力し、
前記ＩＣ動作通知部は、
点灯により、前記非接触ＩＣカード部が動作可能状態であることを通知する表示器と、
前記表示器と前記充電式電池の間に介在し、前記ＩＣ動作検知部から前記ＩＣ動作電圧検出信号が入力され、かつ、前記受付部が前記指示を受け付けたとき、前記システム制御部の動作状態に依存せずに、前記充電式電池から前記表示器に電源を供給する電源制御部と、を含み、
前記電源制御部に前記ＩＣ動作電圧検出信号が入力されている状態で、かつ、前記受付部が前記指示を受け付けたとき、前記電源制御部が前記充電式電池から前記表示器に電源を供給し、前記表示器が点灯して、前記非接触ＩＣカード部が動作可能状態であることを通知することを特徴とする携帯電話機が提供される。
【０００９】
この発明によれば、携帯電話機の充電式電池の残容量がシステム動作不可の範囲であっても、非接触ＩＣカードの動作状態、すなわち非接触ＩＣカードモジュールへの電源供給状態を確認することができ、利便性が向上する。
また、この構成によれば、携帯電話機の充電式電池の残容量が、システム動作不可の範囲であっても、非接触ＩＣカードの動作状態、すなわち非接触ＩＣカードへの電源供給状態を必要に応じて確認することができ、使い勝手が向上する。また、この構成によれば、簡単な構成で非接触ＩＣカードへの電源供給状態を通知することが可能となる。
【００１０】
上記携帯電話機において、前記受付部は、ユーザが押下操作するスイッチからなり、前記表示器は、前記スイッチに接続されるカソード、および前記電源制御部に接続されるアノードを有するＬＥＤ表示器からなり、前記電源制御部を介して前記充電式電池から前記ＬＥＤ表示器の前記アノードに電源供給されている状態で、前記スイッチが押下されたとき、前記ＬＥＤ表示器の前記カソードがグランド接地され、前記ＬＥＤ表示器が点灯し、前記充電式電池から前記ＬＥＤ表示器の前記アノードに電源供給されない状態において、前記スイッチの押下に関わらず前記ＬＥＤ表示器が消灯状態を維持することができる。
上記携帯電話機において、前記システム制御部に供給される前記電圧値が、前記システム動作閾値以上かを検知するシステム動作検知部と、前記システム動作検知部によって前記電圧値が前記システム動作閾値以上であると検知された場合、前記システム制御部が動作可能状態であることを通知するシステム動作通知部と、をさらに備えることができ、前記受付部が受け付ける前記指示は、前記システム動作通知部に前記通知を行わせる指示をさらに含み、前記システム動作検知部は、前記電圧値が前記システム動作閾値以上であると検知したとき、システム動作電圧検出信号を出力し、前記システム動作通知部は、点灯により、前記システム制御部が動作可能状態であることを通知する第２の表示器をさらに含むことができ、さらに、前記電源制御部は、前記表示器および前記第２の表示器と前記充電式電池との間に介在し、前記システム動作電圧検出信号が入力され、かつ、前記受付部が前記指示を受け付けたとき、前記システム制御部の動作状態に依存せずに、前記充電式電池から前記第２の表示器に電源を供給し、前記電源制御部に前記システム動作電圧検出信号が入力されている状態で、かつ、前記受付部が前記指示を受け付けたとき、前記電源制御部が前記充電式電池から前記第２の表示器に電源を供給し、前記第２の表示器が点灯して、前記システム制御部が動作可能状態であることを通知することができる。
【００１１】
この構成によれば、携帯電話機の充電式電池の残容量に応じて段階的に通知することができるので、携帯電話機システムおよび非接触ＩＣカードの動作の可否について確認でき、利便性が向上する。
また、この構成によれば、携帯電話機の充電式電池の残容量が、システム動作不可の範囲であっても、携帯電話機システムおよび非接触ＩＣカードの動作状態、すなわちシステム制御部および非接触ＩＣカードへの電源供給状態を必要に応じて確認することができ、使い勝手が向上する。また、この構成によれば、簡単な構成でシステム制御部および非接触ＩＣカードへの電源供給状態を通知することが可能となる。
【００１３】
上記携帯電話機において、前記受付部は、ユーザが押下操作するスイッチからなり、前記第２の表示器は、前記スイッチに接続されるカソード、および前記電源制御部に接続されるアノードを有する第２のＬＥＤ表示器からなり、前記電源制御部を介して前記充電式電池から前記第２のＬＥＤ表示器の前記アノードに電源供給されている状態で、前記スイッチが押下されたとき、前記第２のＬＥＤ表示器の前記カソードがグランド接地され、前記第２のＬＥＤ表示器が点灯し、前記充電式電池から前記第２のＬＥＤ表示器の前記アノードに電源供給されない状態において、前記スイッチの押下に関わらず前記第２のＬＥＤ表示器が消灯状態を維持することができる。
【００１４】
なお、以上の構成要素の任意の組合せ、本発明の表現を方法および装置などの間で変換したものもまた、本発明の態様として有効である。
【発明の効果】
【００１５】
本発明によれば、自機の充電式電池により供給される電源により動作可能な非接触ＩＣカードへの電源供給状態を必要に応じて確認可能な携帯電話機が提供される。
【発明を実施するための最良の形態】
【００１６】
以上、本発明の実施の形態について、図面を用いて説明する。尚、すべての図面において、同様な構成要素には同様の符号を付し、適宜説明を省略する。
【００１７】
（第一の実施の形態）
図１は、本発明の実施の形態に係る携帯電話機の構成を示す機能ブロック図である。本実施形態の携帯電話機１は、充電式電池（電池３０）から電源供給され動作するシステム制御部（携帯電話システム部１０）および非接触ＩＣカード部（非接触ＩＣカードモジュール２０）を備えた携帯電話機であって、充電式電池からシステム制御部（携帯電話システム部１０）に供給される電圧値が、システム制御部が動作不可となるシステム動作閾値未満の状態において、充電式電池から非接触ＩＣカード部に供給される電圧値が、非接触ＩＣカード部が動作不可となるＩＣ動作閾値以上かを検知するＩＣ動作検知部（ＩＣ動作電圧検出部２２）と、ＩＣ動作検知部によって電圧値がＩＣ動作閾値以上であると検知された場合、非接触ＩＣカード部が動作可能状態であることを通知するＩＣ動作通知部（ＬＥＤ表示器３２）と、を備える。
【００１８】
なお、以下の各図において、本発明の本質に関わらない部分の構成については省略してあり、図示されていない。
【００１９】
詳細には、携帯電話機１は、携帯電話システム部１０と、非接触ＩＣカードモジュール２０と、電池３０と、ＬＥＤ表示器３２と、確認スイッチ３４と、ＬＥＤ電源制御回路部３６と、を備えている。
【００２０】
携帯電話システム部１０は、制御部１２と、信号処理部１４と、無線部１６と、アンテナ１８と、を含む。制御部１２は、携帯電話システム部１０の各要素とともに携帯電話システム部１０全体を制御する。なお、制御部１２は、図示されないメモリに記録されたプログラムを実行することにより動作する。信号処理部１４は、制御部１２により制御され、図示されないダイヤルキーや液晶表示装置、スピーカなどの入出力デバイスを制御し、携帯電話システム部１０に搭載する各種機能を実現する。無線部１６は、アンテナ１８を介して図示されない基地局と通信を行い、通話や情報通信などの無線通信機能を提供する。
【００２１】
非接触ＩＣカードモジュール２０は、外部のＩＣカードリーダライタ装置（不図示）と非接触通信を行う。本実施形態において、非接触ＩＣカードモジュール２０は、携帯電話システム部１０からの制御無しで動作可能とする。
【００２２】
電池３０は、充電式の電池であり、携帯電話システム部１０および非接触ＩＣカードモジュール２０に電源を供給する。さらに、電池３０は、後述するＬＥＤ表示器３２にＬＥＤ電源制御回路部３６を介して電源を供給する。本実施形態において、電池３０の電圧範囲に応じて、確認スイッチ３４押下時にＬＥＤ表示器３２が点灯または消灯いずれかの状態をとることで、非接触ＩＣカードモジュール２０への電源供給状態の通知が行われる。ここで、本実施形態の携帯電話機１において、電池３０から供給される電源の電圧範囲による携帯電話システム部１０および非接触ＩＣカードモジュール２０の動作状態について、説明する。図２は、本実施形態の携帯電話機１の電池３０が供給する電圧範囲の定義を説明するための図である。
【００２３】
図２に示すように、３つの電圧範囲、すなわち、高電圧側から順に１番目の電圧範囲Ａと、２番目の電圧範囲Ｂと、３番目の低電圧の電圧範囲Ｃに分類される。電圧範囲Ａは、電池３０の残容量が充分な状況であり、携帯電話システム部１０および非接触ＩＣカードモジュール２０の両方が動作可能な高電圧範囲とする。さらに、電圧範囲Ａにおいては、携帯電話システム部１０の取り得る状態として、さらに電圧値によって以下の三段階に分けられる。電池３０の残容量が最も多い第一電圧範囲では、電源スイッチの投入および携帯電話システム部１０の操作部（不図示）による操作受け付けが可能であり、電池３０の残容量が少し減少した第二電圧範囲では、電源スイッチの投入は可能であるが、携帯電話システム部１０の操作部による操作受け付けができなくなる。電池３０の残容量がさらに減少した第三電圧範囲では、電源スイッチの投入ができなくなる。
【００２４】
電圧範囲Ｂは、電池３０の残容量が減少し、携帯電話システム部１０および非接触ＩＣカードモジュール２０に供給される電圧値が低くなり、携帯電話システム部１０が低電圧によりシステム動作不可状態となり、かつ非接触ＩＣカードモジュール２０は動作可能な中位の電圧範囲とする。電圧範囲Ｃは、電池３０の残容量がさらに減少し、携帯電話システム部１０および非接触ＩＣカードモジュール２０に供給される電圧値がさらに低下し、携帯電話システム部１０および非接触ＩＣカードモジュール２０の両方が動作不可状態となる低電圧範囲とする。
【００２５】
図１に戻り、非接触ＩＣカードモジュール２０は、ＩＣ動作電圧検出部２２を含む。ＩＣ動作電圧検出部２２は、非接触ＩＣカードモジュール２０に電池３０から供給される電圧値がＩＣ動作閾値以上かを検出し、閾値以上の場合、ＩＣ動作電圧検出信号２４を出力する。供給電圧値が閾値以上の場合、ＩＣ動作電圧検出信号２４はＨｉｇｈレベル、閾値未満の場合、ＩＣ動作電圧検出信号２４はＬｏｗレベルとなる。
【００２６】
ＬＥＤ表示器３２は、非接触ＩＣカードモジュール２０への電源供給状態を通知するものであり、非接触ＩＣカードモジュール２０における非接触通信が可能な電圧範囲であることを点灯により通知する。ＬＥＤ表示器３２には、ＬＥＤ電源制御回路部３６によって制御される電源が電池３０から供給される。ＬＥＤ表示器３２は、カソードが後述する確認スイッチ３４に接続され、アノードがＬＥＤ電源制御回路部３６に接続される。ＬＥＤ電源制御回路部３６に制御された電源がＬＥＤ表示器３２のアノードに供給された状態で、確認スイッチ３４が押下され、カソードがグランド接地されるとＬＥＤ表示器３２が点灯するようになっている。
【００２７】
確認スイッチ３４は、ＬＥＤ表示器３２に通知を行わせる指示を受け付けるものであり、ユーザが確認スイッチ３４を押下したとき、ＬＥＤ表示器３２に非接触ＩＣカードモジュール２０への電源供給状態を表示させる。なお、確認スイッチ３４は、携帯電話システム部１０に設けられている操作キー（不図示）の一つを用いてもよい。確認スイッチ３４により、ユーザが期待する任意の場面でＬＥＤ表示器３２による通知が可能となる。
【００２８】
具体的には、ユーザが確認スイッチ３４を押下操作したとき、確認スイッチ３４がオンし、ＬＥＤ表示器３２のカソードがグランド接地される。ＬＥＤ表示器３２は、ＬＥＤ電源制御回路部３６を介して電池３０からの電源が供給されている状態で、確認スイッチ３４がオンすることにより点灯する。
【００２９】
ＬＥＤ電源制御回路部３６は、電池３０およびＬＥＤ表示器３２の間に介在し、ＩＣ動作電圧検出部２２から出力されるＩＣ動作電圧検出信号２４を入力し、ＩＣ動作電圧検出信号２４に応じて、電池３０からＬＥＤ表示器３２への電源供給を制御する。これにより、電池３０の電圧値に応じてＬＥＤ表示器３２の点灯消灯が制御され、非接触ＩＣカードモジュール２０への電源供給状態をＬＥＤ表示器３２にて通知することが可能となる。
【００３０】
詳細には、ＬＥＤ電源制御回路部３６を介して電池３０からＬＥＤ表示器３２のアノードに電源供給されている状態で、確認スイッチ３４が押下されればＬＥＤ表示器３２は点灯し、電池３０からＬＥＤ表示器３２のアノードに電源供給されなければ、確認スイッチ３４の押下に関わらずＬＥＤ表示器３２は消灯状態を維持する。なお、本実施形態において、ＬＥＤ電源制御回路部３６は、携帯電話システム部１０の動作可否状態に依存せずにＩＣ動作電圧検出部２２から出力されるＩＣ動作電圧検出信号２４を入力として、ＬＥＤ表示器３２への電源供給制御を行うことができる。
【００３１】
図３に、本実施形態のＩＣ動作電圧検出部２２の回路図を示す。ＩＣ動作電圧検出部２２は、図３に示すように、一般的なボルテージディテクターであり、抵抗Ｒ１、抵抗Ｒ２、リファレンス電圧回路Ｖref、オペレーショナルアンプＯＰＡｍｐ１、およびトランジスタＴｒ１からなる。抵抗Ｒ１、抵抗Ｒ２、およびリファレンス電圧回路Ｖrefの値により動作特性が決定される。ＩＣ動作電圧検出部２２のトランジスタＴｒ１の出力がＩＣ動作電圧検出信号２４として出力される。なお、本実施形態において、このＩＣ動作電圧検出信号２４が上述の電圧範囲Ｃを判別する信号として機能するように、ＩＣ動作電圧検出部２２の動作特性は決定される。
【００３２】
図４に、ＬＥＤ電源制御回路部３６を含むＬＥＤ表示器３２周辺回路の一例を示す。なお、ＬＥＤ電源制御回路部３６は、携帯電話システム部１０の動作可否状態に依存しない構成とする。ＬＥＤ電源制御回路部３６は、抵抗Ｒ１１、抵抗Ｒ１２、トランジスタＴｒ１１、およびトランジスタＴｒ１２からなる。抵抗Ｒ１１は、ＩＣ動作電圧検出部２２から入力されるＩＣ動作電圧検出信号２４が不定となった場合のためのプルダウン抵抗である。抵抗Ｒ１２は、不要な電流消費を防ぐための電流制限抵抗である。なお、本実施形態において、ＬＥＤ表示器３２および確認スイッチ３４の間には、抵抗Ｒ１０が設けられている。
【００３３】
ＬＥＤ電源制御回路部３６のトランジスタＴｒ１１およびトランジスタＴｒ１２は、たとえば、ＦＥＴ（Field Effect Transistor）である。トランジスタＴｒ１１は、ソースに抵抗Ｒ１２を介して電池３０が接続され、ドレインがグランド接地される。トランジスタＴｒ１１のゲートにＩＣ動作電圧検出部２２から出力されたＩＣ動作電圧検出信号２４が入力され、トランジスタＴｒ１１のオンオフがＩＣ動作電圧検出信号２４により制御される。図５に、本実施形態のＩＣ動作電圧検出信号２４の状態に応じたＬＥＤ電源制御回路部３６における状態真理値を示す。図５に示すように、トランジスタＴｒ１１のゲートに入力されるＩＣ動作電圧検出信号２４がＨｉｇｈレベルのときトランジスタＴｒ１１はオンし、Ｌｏｗレベルのときオフする。
【００３４】
図４に戻り、トランジスタＴｒ１２は、ソースに電池３０が接続され、ドレインにＬＥＤ表示器３２が接続される。トランジスタＴｒ１２のゲートへの入力は、トランジスタＴｒ１１がオンの場合、ＬｏｗレベルとなりトランジスタＴｒ１２はオンし、トランジスタＴｒ１１がオフの場合、ＨｉｇｈレベルとなりトランジスタＴｒ１２はオフする。
【００３５】
したがって、図５に示すように、ＩＣ動作電圧検出信号２４がＨｉｇｈレベルのとき、トランジスタＴｒ１２はオンし、トランジスタＴｒ１２を介して電池３０からＬＥＤ表示器３２に電源が供給される。一方、ＩＣ動作電圧検出信号２４がＬｏｗレベルのとき、トランジスタＴｒ１２はオフし、電池３０からＬＥＤ表示器３２への電源供給が遮断される。
【００３６】
ＬＥＤ表示器３２は、確認スイッチ３４が押下されたとき、電池３０から供給される電圧により点灯する。電池３０およびＬＥＤ表示器３２の間に、ＬＥＤ電源制御回路部３６のトランジスタＴｒ１２が介在し、トランジスタＴｒ１２のオンオフ状態に応じてＬＥＤ表示器３２への電源供給が制御され、ＬＥＤ表示器３２の点灯消灯状態が変化する。トランジスタＴｒ１２がオンの状態で確認スイッチ３４が押下された場合は、ＬＥＤ表示器３２への電源供給がなされ、ＬＥＤ表示器３２が点灯し、トランジスタＴｒ１２がオフの状態では、確認スイッチ３４が押下に関わらず、ＬＥＤ表示器３２への電源供給が遮断されたままとなり、ＬＥＤ表示器３２は消灯状態を維持する。
【００３７】
このように構成された本実施形態の携帯電話機１の非接触ＩＣカードモジュール２０の動作状況の通知時の動作について、以下に説明する。図６に、本実施形態の携帯電話機１における電池３０の電圧状態による確認スイッチ３４押下時のＬＥＤ表示器３２の状態を示す。以下、図１乃至図６を用いて説明する。
【００３８】
まず、携帯電話システム部１０の動作可能な電圧範囲Ａにおいては、非接触ＩＣカードモジュール２０への供給電圧値は閾値以上であるので、ＩＣ動作電圧検出部２２から出力されるＩＣ動作電圧検出信号２４がＨｉｇｈレベルとなり、図５に示すように、ＬＥＤ電源制御回路部３６のトランジスタＴｒ１１がオンとなり、トランジスタＴｒ１２はオンとなる。従って、この状態で確認スイッチ３４を押下した場合、ＬＥＤ表示器３２は点灯し、確認スイッチ３４を開放するとＬＥＤ表示器３２は消灯する。このように確認スイッチ３４の押下時ＬＥＤ表示器３２が点灯するので、ユーザは非接触ＩＣカードモジュール２０における非接触通信が可能な電圧範囲であることを確認できる。
【００３９】
次に、携帯電話システム部１０が動作不可となる電圧範囲Ｂにおいて、非接触ＩＣカードモジュール２０への供給電圧値は閾値以上であるので、上述の電圧範囲Ａの場合と同様にＩＣ動作電圧検出部２２から出力されるＩＣ動作電圧検出信号２４はＨｉｇｈレベルとなる。従って、確認スイッチ３４の押下時にＬＥＤ表示器３２が点灯し、開放時にＬＥＤ表示器３２は消灯するので、携帯電話システム部１０が動作不可な状態においても、ユーザは非接触ＩＣカードモジュール２０における非接触通信が可能な電圧範囲であることを確認できる。
【００４０】
次に、非接触ＩＣカードモジュール２０が動作不可である電圧範囲Ｃにおいて、非接触ＩＣカードモジュール２０への供給電圧値は閾値未満であるので、ＩＣ動作電圧検出部２２から出力されるＩＣ動作電圧検出信号２４はＬｏｗレベルとなり、図５に示すように、ＬＥＤ電源制御回路部３６のトランジスタＴｒ１１はオフとなり、トランジスタＴｒ１２はオフとなる。従って、この状態で確認スイッチ３４を押下した場合、ＬＥＤ表示器３２は消灯状態を維持する。これにより、携帯電話システム部１０が動作不可状態においても、ユーザは非接触ＩＣカードモジュール２０における非接触通信が不可な電圧範囲であることを確認できる。
【００４１】
このように、電圧範囲Ａおよび電圧範囲Ｂにおいて、ユーザが確認スイッチ３４を押下したときＬＥＤ表示器３２は点灯し、電圧範囲Ｃにおいて確認スイッチ３４を押下したときＬＥＤ表示器３２は消灯状態を維持し、点灯しないようにすることで、所望する非接触通信可否状態、すなわち、非接触ＩＣカードモジュールへの電源供給状態の通知が可能となる。
【００４２】
以上説明したように、本実施形態の携帯電話機１によれば、携帯電話機１の電池３０の残容量が、システム動作不可の電圧範囲Ｂおよび電圧範囲Ｃであっても、非接触ＩＣカードモジュール２０への電源供給状態を必要に応じて確認スイッチ３４を押下することによりＬＥＤ表示器３２の点灯消灯状態によって確認することができ、利便性が向上する。
【００４３】
すなわち、携帯電話機１に装着された電池３０の残容量が、携帯電話システム部１０が電源オン不可またはシステム動作不可といった低電圧状態で、非接触ＩＣカードモジュール２０に供給される電源電圧が非接触通信可能な電圧範囲Ｂであるかどうかの通知手段を有するので、ユーザが非接触通信機能を使用する際、使用可能であることが容易に判断でき、万一非接触通信が失敗した場合にその要因が電池容量不足によることを明白とする効果がある。また、通知を確認する方法として確認スイッチ３４押下というユーザ操作で可能としたことで、必要な状況下で非接触通信に必要な電池残容量の状態通知が行えることとなる。
【００４４】
（第二の実施の形態）
図７は、本発明の実施の形態に係る携帯電話機１０１の構成を示す図である。本実施形態の携帯電話機１０１は、上記実施の形態の携帯電話機１とは、さらに携帯電話システム部１１０への電源供給状態を通知する通知部を設け、携帯電話機における電池３０からの電源供給状態を段階的に通知できるようにした点で相違する。本実施形態の携帯電話機１０１は、上記実施形態の携帯電話機１の携帯電話システム部１０およびＬＥＤ電源制御回路部３６に替えて携帯電話システム部１１０およびＬＥＤ電源制御回路部１２０を備え、さらにＬＥＤ表示器１２２を備えている。
【００４５】
本実施形態の携帯電話機１０１は、充電式電池（電池３０）から電源供給され動作するシステム制御部（携帯電話システム部１１０）および非接触ＩＣカード部（非接触ＩＣカードモジュール２０）を備えた携帯電話機であって、充電式電池からシステム制御部に供給される電圧値が、システム制御部が動作不可となるシステム動作閾値未満の状態において、充電式電池から非接触ＩＣカード部に供給される電圧値が、非接触ＩＣカード部が動作不可となるＩＣ動作閾値以上かを検知するＩＣ動作検知部（ＩＣ動作電圧検出部２２）と、ＩＣ動作検知部によって電圧値がＩＣ動作閾値以上であると検知された場合、非接触ＩＣカード部が動作可能状態であることを通知するＩＣ動作通知部（ＬＥＤ表示器３２）と、システム制御部に供給される電圧値が、システム動作閾値以上かを検知するシステム動作検知部（システム動作電圧検出部１３０）と、前記システム動作検知部によって前記電圧値が前記システム動作閾値以上であると検知された場合、前記システム制御部が動作可能状態であることを通知するシステム動作通知部（ＬＥＤ表示器１２２）と、を備える。
【００４６】
本実施形態において、携帯電話システム部１１０は、システム動作電圧検出部１３０を含む。システム動作電圧検出部１３０は、携帯電話システム部１１０に電池３０から供給される電圧値が、システム動作閾値以上かを検知し、閾値以上の場合、システム動作電圧検出信号１３２を出力する。供給電圧値が閾値以上の場合、システム動作電圧検出信号１３２はＨｉｇｈレベル、閾値未満の場合、システム動作電圧検出信号１３２はＬｏｗレベルとなる。本実施形態において、システム動作電圧検出部１３０から出力されるシステム動作電圧検出信号１３２を上述の電圧範囲Ａを判別する信号として機能するように、システム動作電圧検出部１３０の動作特性が決定されているものとする。
【００４７】
ＬＥＤ表示器１２２は、携帯電話システム部１１０への電源供給状態を通知するものであり、携帯電話システム部１１０の動作が可能な状態であることを点灯により通知する。ＬＥＤ表示器１２２には、ＬＥＤ電源制御回路部１２０によって制御される電源が電池３０から供給される。ＬＥＤ表示器１２２は、カソードが確認スイッチ３４に接続され、アノードがＬＥＤ電源制御回路部１２０に接続される。ＬＥＤ電源制御回路部１２０に制御された電源がＬＥＤ表示器１２２のアノードに供給された状態で、確認スイッチ３４が押下され、カソードがグランド接地されるとＬＥＤ表示器１２２が点灯するようになっている。
【００４８】
なお、本実施形態において、ＬＥＤ表示器３２は、カソードが確認スイッチ３４に接続され、アノードがＬＥＤ電源制御回路部１２０に接続される。ＬＥＤ電源制御回路部１２０に制御された電源がＬＥＤ表示器３２のアノードに供給された状態で、確認スイッチ３４が押下され、カソードがグランド接地されるとＬＥＤ表示器３２が点灯するようになっている。
【００４９】
ＬＥＤ電源制御回路部１２０は、電池３０と、ＬＥＤ表示器３２およびＬＥＤ表示器１２２の間に介在し、非接触ＩＣカードモジュール２０から出力されるＩＣ動作電圧検出信号２４およびシステム動作電圧検出部１３０から出力されるシステム動作電圧検出信号１３２を入力し、ＩＣ動作電圧検出信号２４およびシステム動作電圧検出信号１３２に応じて、電池３０からＬＥＤ表示器３２およびＬＥＤ表示器１２２への電源供給をそれぞれ制御する。これにより、非接触ＩＣカードモジュール２０および携帯電話システム部１１０への電源供給状態をＬＥＤ表示器３２およびＬＥＤ表示器１２２にてそれぞれ通知することが可能となる。
【００５０】
詳細には、ＬＥＤ電源制御回路部１２０を介して電池３０からＬＥＤ表示器３２およびＬＥＤ表示器１２２のアノードにそれぞれ電源供給されている状態で、確認スイッチ３４が押下されればＬＥＤ表示器３２およびＬＥＤ表示器１２２はそれぞれ点灯し、電池３０から電源供給されなければ、確認スイッチ３４の押下にかかわらずＬＥＤ表示器３２およびＬＥＤ表示器１２２はそれぞれ消灯状態を維持する。なお、本実施形態において、ＬＥＤ電源制御回路部１２０は、携帯電話システム部１１０の動作可否状態に依存せずにシステム動作電圧検出部１３０から出力されるシステム動作電圧検出信号１３２を入力として、ＬＥＤ表示器３２およびＬＥＤ表示器１２２への電源供給制御を行うことができる。
【００５１】
図８に、ＬＥＤ電源制御回路部１２０を含むＬＥＤ表示器１２２周辺回路の一例を示す。なお、ＬＥＤ電源制御回路部１２０は、携帯電話システム部１１０の動作可否状態に依存しない構成とする。ＬＥＤ電源制御回路部１２０は、抵抗Ｒ２１、抵抗Ｒ２２、抵抗Ｒ２３、抵抗Ｒ２４、トランジスタＴｒ２１、トランジスタＴｒ２２、トランジスタＴｒ２３、トランジスタＴｒ２４、排他論理和回路Ｇａｔｅ２１を含む。抵抗Ｒ２１および抵抗Ｒ２３は、システム動作電圧検出信号１３２が不定となった場合のためのプルダウン抵抗であり、抵抗Ｒ２２および抵抗Ｒ２４は、不要な電流消費を防ぐための電流制限抵抗である。また、本実施形態において、ＬＥＤ表示器３２およびＬＥＤ表示器１２２と、確認スイッチ３４との間には、抵抗Ｒ２０および抵抗Ｒ３０がそれぞれ設けられている。
【００５２】
ＬＥＤ電源制御回路部１２０において、トランジスタＴｒ２１は、ソースに抵抗Ｒ２を介して電池３０が接続され、ドレインがグランド接地される。トランジスタＴｒ２１のゲートにシステム動作電圧検出部１３０から出力されたシステム動作電圧検出信号１３２が入力され、トランジスタＴｒ２１のオンオフがシステム動作電圧検出信号１３２により制御される。図９に、本実施形態のＩＣ動作電圧検出信号２４およびシステム動作電圧検出信号１３２の状態に応じたＬＥＤ電源制御回路部１２０における状態真理値を示す。図９に示すように、トランジスタＴｒ２１のゲートに入力されるシステム動作電圧検出信号１３２がＨｉｇｈレベルのときトランジスタＴｒ２１はオンし、Ｌｏｗレベルのときオフする。
【００５３】
図８に戻り、トランジスタＴｒ２１は、ソースに電池３０が接続され、ドレインにシステム動作電圧検出信号１３２が接続される。トランジスタＴｒ２２のゲートへの入力は、トランジスタＴｒ２１がオンの場合、ＬｏｗレベルとなりトランジスタＴｒ２２はオンし、トランジスタＴｒ２１がオフの場合、ＨｉｇｈレベルとなりトランジスタＴｒ２２はオフする。
【００５４】
さらに、排他論理和回路Ｇａｔｅ２１には、システム動作電圧検出信号１３２およびＩＣ動作電圧検出信号２４が入力される。図９に示すように、排他論理和回路Ｇａｔｅ２１の出力は、ＩＣ動作電圧検出信号２４およびシステム動作電圧検出信号１３２がともにＨｉｇｈレベルまたはＬｏｗレベルの場合、Ｌｏｗレベルとなり、ＩＣ動作電圧検出信号２４がＨｉｇｈレベルでシステム動作電圧検出信号１３２がＬｏｗレベルの場合、Ｈｉｇｈレベルとなる。
【００５５】
排他論理和回路Ｇａｔｅ２１の出力は、トランジスタＴｒ２３のゲートに入力され、オンオフ制御される。トランジスタＴｒ２３は、ソースに抵抗Ｒ２４を介して電池３０が接続され、ドレインはグランド接地される。図９に示すように、トランジスタＴｒ２３のゲートに入力される排他論理和回路Ｇａｔｅ２１の出力がＨｉｇｈレベルのとき、トランジスタＴｒ２３はオンし、Ｌｏｗレベルのときオフする。
【００５６】
図８に戻り、トランジスタＴｒ２４は、ソースに電池３０が接続され、ドレインにＬＥＤ表示器３２が接続される。トランジスタＴｒ２４のゲートへの入力は、トランジスタＴｒ２３がオンの場合、ＬｏｗレベルとなりトランジスタＴｒ２４はオンし、トランジスタＴｒ２３がオフの場合、ＨｉｇｈレベルとなりトランジスタＴｒ２４はオフする。
【００５７】
したがって、図９に示すように、ＩＣ動作電圧検出信号２４およびシステム動作電圧検出信号１３２がともにＨｉｇｈレベルのとき、トランジスタＴ２２はオンし、トランジスタＴｒ２２を介して電池３０からＬＥＤ表示器１２２に電源が供給されるとともに、トランジスタＴｒ２４はオフし、電池３０からＬＥＤ表示器３２への電源供給が遮断される。
【００５８】
一方、ＩＣ動作電圧検出信号２４がＨｉｇｈレベルでシステム動作電圧検出信号１３２がＬｏｗレベルのとき、トランジスタＴｒ２２はオフし、電池３０からＬＥＤ表示器１２２への電源供給が遮断されるとともに、トランジスタＴｒ２４はオンし、トランジスタＴｒ２４を介して電池３０からＬＥＤ表示器３２に電源が供給される。
【００５９】
さらに、ＩＣ動作電圧検出信号２４およびシステム動作電圧検出信号１３２がともにＬｏｗレベルのとき、トランジスタＴｒ２２およびトランジスタＴｒ２４がともにオフとなり、電池３０からＬＥＤ表示器１２２およびＬＥＤ表示器３２への電源供給が遮断される。
【００６０】
ＬＥＤ表示器１２２は、確認スイッチ３４が押下されたとき、電池３０から供給される電圧により点灯する。電池３０およびＬＥＤ表示器１２２の間に、ＬＥＤ電源制御回路部１２０のトランジスタＴｒ２２が介在し、トランジスタＴｒ２２のオンオフ状態に応じてＬＥＤ表示器１２２への電源供給が制御され、ＬＥＤ表示器１２２の点灯消灯状態が変化する。トランジスタＴｒ２２がオンの状態で確認スイッチ３４が押下された場合、ＬＥＤ表示器１２２への電源供給がなされ、ＬＥＤ表示器１２２が点灯し、トランジスタＴｒ２２がオフの状態では、確認スイッチ３４の押下に関わらず、ＬＥＤ表示器１２２への電源供給が遮断されたままとなり、ＬＥＤ表示器１２２は消灯状態を維持する。
【００６１】
また、本実施形態において、電池３０およびＬＥＤ表示器３２の間に、ＬＥＤ電源制御回路部１２０のトランジスタＴｒ２４が介在し、トランジスタＴｒ２４のオンオフ状態に応じてＬＥＤ表示器３２への電源供給が制御され、ＬＥＤ表示器３２の点灯消灯状態が変化する。トランジスタＴｒ２４がオンの状態で確認スイッチ３４が押下された場合、ＬＥＤ表示器３２への電源供給がなされ、ＬＥＤ表示器３２が点灯し、トランジスタＴｒ２４がオフの状態では、確認スイッチ３４の押下に関わらず、ＬＥＤ表示器３２への電源供給が遮断されたままとなり、ＬＥＤ表示器３２は消灯状態を維持する。
【００６２】
このように構成された本実施形態の携帯電話機１０１の携帯電話システム部１１０および非接触ＩＣカードモジュール２０の動作状況の通知時の動作について、以下に説明する。図１０に、本実施形態の携帯電話機１０１における電池３０の電圧状態による確認スイッチ３４の押下時のＬＥＤ表示器１２２およびＬＥＤ表示器３２の状態を示す。以下、図７乃至図１０を用いて説明する。
【００６３】
まず、携帯電話システム部１１０の動作可能な電圧範囲Ａにおいては、電池３０から供給される電圧値はシステム動作閾値以上かつＩＣ動作閾値以上であるので、システム動作電圧検出部１３０およびＩＣ動作電圧検出部２２から出力されるシステム動作電圧検出信号１３２およびＩＣ動作電圧検出信号２４はともにＨｉｇｈレベルとなり、図９に示すようにＬＥＤ電源制御回路部１２０のトランジスタＴｒ２２がオン、トランジスタＴｒ２４がオフとなる。従って、図１０に示すように、この状態で確認スイッチ３４を押下した場合、ＬＥＤ表示器１２２は点灯し、ＬＥＤ表示器３２は消灯状態を維持し、確認スイッチ３４を開放すると、ＬＥＤ表示器１２２は消灯し、ＬＥＤ表示器３２は消灯状態を維持する。このように確認スイッチ３４の押下時にＬＥＤ表示器１２２が点灯し、ＬＥＤ表示器３２は消灯状態を維持するので、ユーザは電池３０の残容量が携帯電話システム部１１０の動作可能な電圧値範囲であることを確認できる。
【００６４】
次に、携帯電話システム部１１０が動作不可となる電圧範囲Ｂにおいて、電池３０からの供給電圧が、システム動作閾値未満となり、ＩＣ動作閾値以上であるので、図９に示すように、システム動作電圧検出部１３０から出力されるシステム動作電圧検出信号１３２はＬｏｗレベルとなり、ＩＣ動作電圧検出部２２から出力されるＩＣ動作電圧検出信号２４はＨｉｇｈレベルとなる。このとき、ＬＥＤ電源制御回路部１２０のトランジスタＴｒ２２がオフし、トランジスタＴｒ２４はオンとなる。従って、図１０に示すように、この状態で確認スイッチ３４を押下した場合、ＬＥＤ表示器１２２は消灯状態を維持し、ＬＥＤ表示器３２は点灯し、確認スイッチ３４を開放すると、ＬＥＤ表示器１２２は消灯状態を維持し、ＬＥＤ表示器３２は消灯する。このように確認スイッチ３４の押下時にＬＥＤ表示器３２が点灯し、ＬＥＤ表示器１２２は消灯状態を維持するので、ユーザは、電池３０の残量が、携帯電話システム部１１０の動作不可であり、かつ非接触ＩＣカードモジュール２０が非接触通信可能な電圧範囲であることを確認できる。
【００６５】
次に、非接触ＩＣカードモジュール２０が動作不可である電圧範囲Ｃにおいて、電池３０から供給される電圧値はシステム動作閾値未満かつＩＣ動作閾値未満であるので、システム動作電圧検出部１３０および非接触ＩＣカードモジュール２０からそれぞれ出力されるシステム動作電圧検出信号１３２およびＩＣ動作電圧検出信号２４はともにＬｏｗレベルとなり、図９に示すように、システム動作電圧検出部１３０のトランジスタＴｒ２２およびトランジスタＴｒ２４がともにオフとなる。従って、この状態では、確認スイッチ３４の押下状態に関わらず、ＬＥＤ表示器１２２およびＬＥＤ表示器３２は消灯状態を維持する。これにより、携帯電話システム部１１０が動作不可状態においても、ユーザは、電池３０の残容量が、携帯電話システム部１１０が動作不可であり、かつ非接触ＩＣカードモジュール２０が非接触通信不可な電圧範囲であることを確認できる。
【００６６】
このように、電圧範囲Ａにおいて、ユーザが確認スイッチ３４を押下したとき、ＬＥＤ表示器１２２が点灯し、電圧範囲Ｂにおいて、ユーザが確認スイッチ３４を押下したとき、ＬＥＤ表示器３２が点灯し、電圧範囲Ｃにおいて確認スイッチ３４を押下したときＬＥＤ表示器３２およびＬＥＤ表示器１２２は消灯状態を維持し、点灯しないようにすることで、所望するシステム動作および非接触通信可否状態、すなわち、携帯電話システム部１１０および非接触ＩＣカードモジュール２０への電源供給状態の通知が可能となる。
【００６７】
以上説明したように、本実施形態の携帯電話機１０１によれば、携帯電話機１０１の充電式の電池３０の残容量に応じて段階的に通知することができるので、システム動作可能範囲か、非接触ＩＣカード動作可能範囲かを確認でき、さらに利便性が向上する。
【００６８】
以上、図面を参照して本発明の実施形態について述べたが、これらは本発明の例示であり、上記以外の様々な構成を採用することもできる。
【００６９】
たとえば、上記実施の形態では、ＬＥＤ表示器３２またはＬＥＤ表示器１２２の通知指示として確認スイッチ３４を設けた構成としたが、これに限定されない。確認スイッチ３４は無くてもよく、その場合、非接触ＩＣカードモジュール２０または携帯電話システム部への電源供給状態に応じて、常時ＬＥＤ表示器３２またはＬＥＤ表示器１２２の表示がそれぞれ制御され、たとえば、動作可能な電圧範囲時には点灯し、動作不可な電圧範囲では消灯することとなる。
【００７０】
また、上記実施形態では、ＬＥＤ表示器３２は、上記電圧範囲Ｂにおいてのみ点灯する構成としたが、これに限定されない。ＬＥＤ表示器３２は、上記電圧範囲Ａにおいても点灯する構成としてもよい。この構成によれば、携帯電話システム部１１０が動作可能な電圧範囲Ａにおいては、ＬＥＤ表示器１２２およびＬＥＤ表示器３２の両方が点灯することとなる。この構成によれば、携帯電話システム部１１０が動作可能な電圧範囲Ａのとき、２つのＬＥＤが点灯し、非接触ＩＣカードモジュール２０が動作可能な電圧範囲Ｂのとき、１つのＬＥＤが点灯し、携帯電話システム部１１０および非接触ＩＣカードモジュール２０の両方が動作不可である電圧範囲Ｃのとき、全てのＬＥＤが消灯状態を維持するので、電池３０の残容量を目視にて直感的に判断しやすくなるという利点がある。
【図面の簡単な説明】
【００７１】
【図１】本発明の実施の形態に係る携帯電話機を示す機能ブロック図である。
【図２】本実施形態の携帯電話機の電池が供給する電圧範囲の定義を説明するための図である。
【図３】図１の携帯電話機のＩＣ動作電圧検出部の回路図である。
【図４】図１の携帯電話機のＬＥＤ電源制御回路部を含むＬＥＤ表示器周辺回路の一例を示す回路図である。
【図５】図１の携帯電話機におけるＩＣ動作電圧検出信号の状態に応じたＬＥＤ電源制御回路部における状態真理値を示す。
【図６】図１の携帯電話機における電池の電圧状態による確認スイッチ押下時のＬＥＤ表示器の状態を示す。
【図７】本発明の実施の形態に係る携帯電話機を示す機能ブロック図である。
【図８】図７の携帯電話機のＬＥＤ電源制御回路部を含むＬＥＤ表示器周辺回路の一例を示す回路図である。
【図９】図７の携帯電話機におけるシステム動作電圧検出信号およびＩＣ動作電圧検出信号の状態に応じたＬＥＤ電源制御回路部における状態真理値を示す。
【図１０】図７の携帯電話機における電池の電圧状態による確認スイッチ押下時のＬＥＤ表示器の状態を示す。
【符号の説明】
【００７２】
１  携帯電話機
１０  携帯電話システム部
１２  制御部
１４  信号処理部
１６  無線部
１８  アンテナ
２０  非接触ＩＣカードモジュール
２２  ＩＣ動作電圧検出部
２４  ＩＣ動作電圧検出信号
３０  電池
３２  ＬＥＤ表示器
３４  確認スイッチ
３６  ＬＥＤ電源制御回路部
１０１  携帯電話機
１１０  携帯電話システム部
１２０  ＬＥＤ電源制御回路部
１２２  ＬＥＤ表示器
１３０  システム動作電圧検出部
１３２  システム動作電圧検出信号
【図１】
0004661513.tif 000002
【図２】
0004661513.tif 000003
【図３】
0004661513.tif 000004
【図４】
0004661513.tif 000005
【図５】
0004661513.tif 000006
【図６】
0004661513.tif 000007
【図７】
0004661513.tif 000008
【図８】
0004661513.tif 000009
【図９】
0004661513.tif 000010
【図１０】
0004661513.tif 000011